(57)【要約】ドライブ構成情報生成装置では、走行履歴情報取得手段が走行履歴情報を取得し、購買履歴情報取得手段が購買履歴情報を取得する。そして、ドライブ購買情報生成手段が、上記走行履歴情報と上記購買履歴情報とを所定の情報で関連付けた情報を生成し、上記走行履歴情報を用いてドライブを特定し、上記の関連付けた情報をドライブ単位で抽出した情報をドライブ購買情報として生成する。そして、ドライブ購買情報登録手段は、上記ドライブ購買情報を登録する。このように、ドライブ購買情報生成装置は、ドライブ毎に、走行履歴情報と購買履歴情報を関連付けた情報を抽出しているので、ドライブ単位で購買情報を提供することができる。
2009130749.tif 000002
【特許請求の範囲】
【請求項１】
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段と、
を備えたことを特徴とするドライブ購買情報生成装置。
【請求項２】
前記ドライブ購買情報生成手段は、ドライブ起点個所に対応する購買履歴情報の購買金額情報をドライブ購買情報の生成対象から除外することを特徴とする請求項１に記載のドライブ購買情報生成装置。
【請求項３】
前記走行履歴情報は、走行位置に対応する走行時間情報を含み、
前記購買履歴情報は、購買時間情報を含み、
前記ドライブ購買情報生成手段は、前記購買時間情報に近似する走行時間情報を有する走行履歴情報と、前記購買時間情報に対応する前記購買履歴情報とを関連付けることを特徴とする請求項１又は２に記載のドライブ購買情報生成装置。
【請求項４】
地図情報を保持する地図情報保持手段と、
前記ドライブ購買情報と、前記地図情報とを対応付けたドライブ購買地図を表示するドライブ購買地図表示手段とをさらに備えることを特徴とする請求項１乃至３のいずれか一項に記載のドライブ購買情報生成装置。
【請求項５】
走行位置情報を含む走行履歴情報を取得する走行履歴情報取得工程と、
購買金額情報を含む購買履歴情報を取得する購買履歴情報取得工程と、
前記走行履歴情報と、前記購買履歴情報とを関連付けた情報をドライブ単位で抽出したドライブ購買情報を生成するドライブ購買情報生成工程と、
前記ドライブ購買情報を登録するドライブ購買情報登録工程と、
を備えたことを特徴とするドライブ購買情報生成方法。
【請求項６】
コンピュータを備える装置によって実行されるドライブ購買情報生成プログラムであって、
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段、として前記コンピュータを機能させることを特徴とするドライブ購買情報生成プログラム。
【請求項７】
請求項６に記載のドライブ購買情報生成プログラムを記憶したことを特徴とする記憶媒体。
【発明の詳細な説明】
【技術分野】
【０００１】
本発明は、ドライブ毎に、購買履歴を管理することが可能なドライブ購買情報を生成する手法に関する。
【背景技術】
【０００２】
従来から、有料道路における入口情報及び出口情報と、走行軌跡とを用いて、有料道路の料金を算出する管理装置がある（例えば、特許文献１参照）。【０００３】
【特許文献１】特開２００４−６２５４０号公報
【発明の開示】
【発明が解決しようとする課題】
【０００４】
特許文献１に記載の管理装置を、ＥＴＣ（Ｅｌｅｃｔｒｏｎｉｃ  Ｔｏｌｌ  Ｃｏｌｌｅｃｔｉｏｎ  Ｓｙｓｔｅｍ）等に利用する場合は、道路の料金に関するものであるため、車両の位置と、料金とを関連付けることが容易であるが、店舗に立寄って買い物をする場合等は、購買情報と、車両の位置情報とは、別々に管理されていることが多い。【０００５】
また、上記購買情報と車両の位置情報とが関連付けられていた方が利用者にとって、情報の利用価値があるが、ドライブ単位で購買情報と車両の位置情報との関連情報が管理されている方が、より利便性がある。【０００６】
本発明が解決しようとする課題としては、上記のようなものが例として挙げられる。本発明は、ドライブ単位で購買情報と、車両の位置情報とを関連付けたドライブ購買情報を管理するドライブ購買情報管理装置を提供することを課題とする。
【課題を解決するための手段】
【０００７】
請求項１に記載の発明では、ドライブ購買情報生成装置であって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段と、を備えることを特徴とする。【０００８】
請求項５に記載の発明では、ドライブ購買情報生成方法であって、走行位置情報を含む走行履歴情報を取得する走行履歴情報取得工程と、購買金額情報を含む購買履歴情報を取得する購買履歴情報取得工程と、前記走行履歴情報と、前記購買履歴情報とを関連付けた情報をドライブ単位で抽出したドライブ購買情報を生成するドライブ購買情報生成工程と、前記ドライブ購買情報を登録するドライブ購買情報登録工程と、を備えることを特徴とする。【０００９】
請求項６に記載の発明では、コンピュータを備える装置によって実行されるドライブ購買情報生成プログラムであって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段、として前記コンピュータを機能させることを特徴とする。
【図面の簡単な説明】
【００１０】
【図１】ドライブ購買情報管理システムの概略構成を示す図である。
【図２】ナビゲーション装置の概念図である。
【図３】ドライブ購買情報生成サーバの概略構成を示すブロック図である。
【図４】各種データ構造の概念図である。
【図５】ドライブの概念図である。
【図６】購買履歴とドライブとの対応付けの例を示す図である。
【図７】購買履歴とドライブとの対応付けの例を示す図である。
【図８】ドライブ購買地図の例を示す図である。
【図９】ドライブ購買情報生成処理のフローチャートである。
【図１０】他の実施例におけるドライブの概要を説明する図である。
【図１１】他の実施例における会計情報の出力例の図である。
【図１２】他の実施例における施設を特定する方法を説明する図である。
【符号の説明】
【００１１】
１  ドライブ購買情報管理システム
４００  ドライブ購買情報生成サーバ
３５０  地図情報ＤＢ
４１１  ドライブ起点個所特定部
４１２  走行履歴情報取得部
４１３  購買履歴情報取得部
４１４  ドライブ購買情報生成部
４１５  ドライブ購買情報登録部
４１６  ドライブ購買情報出力部
【発明を実施するための最良の形態】
【００１２】
本発明の１つの観点では、ドライブ購買情報生成装置であって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段と、を備える。【００１３】
上記のドライブ購買情報生成装置は、具体的には、サーバ装置として構成することができる。ドライブ構成情報生成装置では、走行履歴情報取得手段が、ナビゲーション装置等から走行履歴情報を取得し、購買履歴情報取得手段が、ＩＣカード等からＩＣカードリーダ等を介して購買履歴情報を取得する。なお、走行履歴情報は、走行時の位置情報（例えば、ＧＰＳ受信機から取得した緯度経度情報等）を含む情報であり、購買履歴情報は、購買金額を含む情報である。そして、ドライブ購買情報生成手段が、上記走行履歴情報と上記購買履歴情報とを所定の情報（例えば、時刻情報等）で関連付けた情報を生成し、上記走行履歴情報を用いてドライブを特定し、上記の関連付けた情報をドライブ単位で抽出した情報をドライブ購買情報として生成する。そして、ドライブ購買情報登録手段は、上記ドライブ購買情報を登録する。なお、ドライブとは、自宅を出発してから自宅に戻ってくるまでの走行履歴等、所定区間の走行履歴をいう。【００１４】
このように、ドライブ購買情報生成装置は、ドライブ毎に、走行履歴情報と購買履歴情報を関連付けた情報を抽出しているので、ドライブ単位で購買情報を提供することができる。従って、ドライブ購買情報生成装置は、単に購買履歴の情報を提供する場合に比して、利用者にとって利便性のある情報を提供することができる。【００１５】
上記のドライブ購買情報生成装置の一態様では、前記ドライブ購買情報生成手段は、ドライブ起点個所に対応する購買履歴情報の購買金額情報をドライブ購買情報の生成対象から除外する。これによれば、ドライブ購買情報生成装置は、ドライブ中ではない状況の購買情報をドライブ購買情報として生成してしまうことを回避することができる。【００１６】
上記のドライブ購買情報生成装置の他の一態様では、前記走行履歴情報は、走行位置に対応する走行時間情報を含み、前記購買履歴情報は、購買時間情報を含み、前記ドライブ購買情報生成手段は、前記購買時間情報に近似する走行時間情報を有する走行履歴情報と、前記購買時間情報に対応する前記購買履歴情報とを関連付ける。【００１７】
このように、ドライブ購買情報生成装置は、厳格に購買履歴情報の購買時間情報と、走行履歴情報の走行時間情報とに基づいて、購買履歴情報と走行履歴情報との関連付けを行おうとすると時間が合致しないので、購買時間情報に近似している走行時間情報とを特定し、当該購買時間情報の購買履歴情報と、購買時間情報に近似している走行時間情報の走行履歴情報とを関連付けする。【００１８】
従って、ドライブ購買情報生成装置は、適切に走行履歴情報と、購買履歴情報との関連付けを行うことができる。【００１９】
上記のドライブ購買情報生成装置の他の一態様では、地図情報を保持する地図情報保持手段と、前記ドライブ購買情報と、前記地図情報とを対応付けたドライブ購買地図を表示するドライブ購買地図表示手段とをさらに備える。この場合、ドライブ購買情報生成装置は、ドライブ購買情報と、ドライブ個所に対応する地図情報を提供することができる。よって、ドライブ購買情報生成装置は、ドライブ中の購買情報と、当該ドライブに関する地図情報とを連動させた情報を提供することにより利用者に対して利便性のある情報を提供することができる。【００２０】
本発明の他の観点では、ドライブ購買情報生成方法は、走行位置情報を含む走行履歴情報を取得する走行履歴情報取得工程と、購買金額情報を含む購買履歴情報を取得する購買履歴情報取得工程と、前記走行履歴情報と、前記購買履歴情報とを関連付けた情報をドライブ単位で抽出したドライブ購買情報を生成するドライブ購買情報生成工程と、前記ドライブ購買情報を登録するドライブ購買情報登録工程と、を備える。【００２１】
この方法によっても、ドライブ毎に、走行履歴情報と購買履歴情報を関連付けた情報を抽出しているので、ドライブ単位で購買情報を提供することができる。【００２２】
本発明のさらに他の観点では、コンピュータを備える装置によって実行されるドライブ購買情報生成プログラムであって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段、として前記コンピュータを機能させる。【００２３】
このプログラムを、各種装置上で実行することにより、本発明のドライブ購買情報生成装置を実現することができる。なお、このドライブ購買情報生成プログラムは、記録媒体に記録した状態で好適に取り扱うことができる。
【実施例】
【００２４】
以下、図面を参照して本発明の好適な実施例について説明する。【００２５】
［ドライブ購買情報管理システムの概略構成］
図１に、ドライブ購買情報管理システム１の概略構成を示す。本実施例では、ドライブ購買情報管理システム１は、ナビゲーション装置２００と、ドライブ購買情報生成サーバ４００と、ＩＣカード５００とから構成される。【００２６】
ナビゲーション装置２００は、ＧＰＳ（Ｇｌｏｂａｌ  Ｐｏｓｉｔｉｏｎｉｎｇ  Ｓｙｓｔｅｍ）受信機を有し、ＧＰＳ受信機から取得した緯度経度情報等を含む情報である走行履歴情報８００を生成し、当該走行履歴情報８００を通信ネットワーク等を用いて、ドライブ購買情報生成サーバ４００へ送信する。ナビゲーション装置２００は、ナビゲーション装置２００を搭載した車両が走行している場合、例えば、数秒毎もしくは数ｍ毎のような一定の時間又は一定の距離毎の行程に関する走行履歴情報８００を生成し、車両停止時については、少なくとも、停止時及び停止解除時の走行履歴情報８００を生成する。【００２７】
ＩＣカード５００は、過去に購買した日時及び料金に関する情報を含む購買履歴情報９００を保持している。ドライブ購買情報生成サーバ４００は、ＩＣカードリーダを介して上記ＩＣカード５００内の購買履歴情報９００を取得する。【００２８】
ドライブ購買情報生成サーバ４００は、ナビゲーション装置２００から走行履歴情報８００を取得し、ＩＣカード５００から購買履歴情報９００を取得し、走行履歴情報８００と購買履歴情報９００とを関連付け、関連付けた情報をドライブ単位に抽出した情報であるドライブ購買情報を生成し、当該ドライブ購買情報を登録する。なお、ドライブ購買情報生成サーバ４００は、具体的には、サーバ装置である。【００２９】
このように、ドライブ購買情報生成サーバ４００は、ドライブ毎に、走行履歴情報８００と購買履歴情報９００を関連付けた情報を抽出しているので、ドライブ中の購買情報を提供することができる。従って、ドライブ購買情報生成装置は、単に購買履歴の情報を提供する場合に比して、利用者にとって利便性のある情報を提供することができる。【００３０】
［ナビゲーション装置］
図２に、本発明の実施例に係るナビゲーション装置２００の構成を示す。図２に示すように、ナビゲーション装置２００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。【００３１】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００３２】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。【００３３】
システムコントローラ２０は、インタフェース２１、ＣＰＵ２２、ＲＯＭ２３及びＲＡＭ２４を含んでおり、ナビゲーション装置２００全体の制御を行う。【００３４】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００３５】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００３６】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。【００３７】
データ記憶ユニット３６は、例えば、ＨＤＤなどにより構成され、地図情報や施設データなどのナビゲーション処理に用いられる各種データを記憶する。【００３８】
通信装置３８は、例えば、ＦＭチューナやビーコンレシーバ、携帯電話や専用の通信カードなどにより構成され、通信用インタフェース３７を介して、各種情報を受信する。【００３９】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。【００４０】
音声出力ユニット５０は、システムコントローラ２０の制御の下、ディスクドライブ３１又はＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００４１】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。【００４２】
そして、ナビゲーション装置２００は、システムコントローラ２０が、ＧＰＳ受信機１８から取得した緯度経度情報と、当該走行履歴情報８００を当該緯度経度情報の日時情報とを関連付けた走行履歴情報８００を生成し、所定のタイミングで、通信装置３８を介してドライブ購買情報生成サーバ４００へ送信する。【００４３】
［ドライブ購買情報生成サーバ］
図３にドライブ購買情報生成サーバ４００の機能構成を示す。ドライブ購買情報生成サーバ４００は、実体的には、サーバ装置である。ドライブ購買情報生成サーバ４００は、図示のように、制御部４０１と、送受信部４０２と、入力部４０３と、記憶部４０４と、表示部４０５と、ＩＣカードリーダ４０６と、を備える。記憶部４０４は、地図情報ＤＢ３５０等、種々の情報を保持する。制御部４０１は、具体的には、ＣＰＵ等であり、ドライブ購買情報生成サーバ４００全体を統括制御する。そして制御部４０１は、ドライブ起点個所特定部４１１と、走行履歴情報取得部４１２と、購買履歴情報取得部４１３と、ドライブ購買情報生成部４１４と、ドライブ購買情報登録部４１５と、ドライブ購買情報出力部４１６と、を備える。即ち、制御部４０１が所定のプログラムを実行することにより、ドライブ起点個所特定部４１１と、走行履歴情報取得部４１２と、購買履歴情報取得部４１３と、ドライブ購買情報生成部４１４と、ドライブ購買情報登録部４１５と、ドライブ購買情報出力部４１６とを実現する。【００４４】
送受信部４０２は、走行履歴情報８００の受信等、各種情報の送受信を行う。具体的に、送受信部４０２は、ネットワークインタフェースである。入力部４０３は、各種コマンドやデータを入力するための、キーボード、マウス等から構成されている。記憶部４０４は、地図情報ＤＢ３５０や、自宅の位置情報や、走行履歴情報取得部４１２が取得した走行履歴情報８００や、購買履歴情報取得部４１３が取得した購買履歴情報９００や、ドライブ購買情報生成部４１４が生成したドライブ購買情報等を保持する。具体的には、記憶部４０４はハードディスク等である。なお、地図情報ＤＢ３５０は、地図情報のデータベースである。ここでいう地図情報として、施設情報（住所、ジャンル、名称、電話番号、代表地点の位置情報）や、道路情報（道路種別等）が含まれる。【００４５】
ドライブ起点個所特定部４１１は、ドライブの起点となる個所を特定する。具体的には、ドライブ起点個所特定部４１１は、予め設定されている情報をドライブ起点個所で特定する。なお、本実施例では、自宅の位置をドライブ起点個所とする。【００４６】
走行履歴情報取得部４１２は、送受信部４０２を介してナビゲーション装置２００から走行履歴情報８００を取得する。ここで、走行履歴情報８００の具体例を図４（ａ）に示す。図４（ａ）に示すように、走行履歴情報８００は、「走行履歴Ｎｏ」、「緯度経度」、及び「日時」を含む情報である。「走行履歴Ｎｏ」は、走行履歴情報８００を一意に識別することができる識別子である。「緯度経度」は、ナビゲーション装置２００のＧＰＳ受信機１８が取得した緯度経度情報である。「日時」は、ナビゲーション装置２００のＧＰＳ受信機１８が緯度経度情報を取得した日時である。なお、走行履歴情報取得部４１２は、取得した走行履歴情報８００を「日時」でソートして保持する。【００４７】
購買履歴情報取得部４１３は、ＩＣカードリーダ４０６を介してＩＣカード５００内の購買履歴情報９００を取得する。ここで、購買履歴情報９００の具体例を図４（ｂ）に示す。図４（ｂ）に示すように、購買履歴情報９００は、「日時」、「店名」、「購買対象」、及び「支払額」を含む情報である。「日時」は、購買した日時である。「店名」は、購買した店の名称である。「購買対象」は、購買した商品等である。「支払額」は、購買金額である。なお、購買履歴情報取得部４１３は、取得した購買履歴情報９００を「日時」でソートして保持する。【００４８】
ドライブ購買情報生成部４１４は、走行履歴情報８００と、購買履歴情報９００とを関連付けた情報に基づいて、ドライブ購買情報を生成する。【００４９】
具体的に、ドライブ購買情報生成部４１４は、走行履歴情報の日時と、購買履歴情報９００の日時とを関連付けた情報を生成し、同一のドライブ（自宅を出発してから自宅に戻ってくるまでの走行履歴）に対応する関連付け情報に対して、同一のドライブＩＤを付与した情報をドライブ購買情報として生成する。【００５０】
ここで、ドライブ購買情報９５０の具体例を図４（ｃ）に示す。図４（ｃ）に示すように、ドライブ購買情報９５０は、「ドライブＩＤ」、「日時」、「店名」、「購買対象」、「支払額」、及び「走行履歴Ｎｏ」を含む情報である。【００５１】
「ドライブＩＤ」とは、ドライブを一意に識別することができる識別子をいう。「日時」は、購買履歴情報９００の「日時」である。「店名」は、購買履歴情報９００の「店名」である。「購買対象」は、購買履歴情報９００の「購買対象」である。「支払額」は、購買履歴情報９００の「支払額」である。「走行履歴Ｎｏ」は、走行履歴情報８００の「走行履歴Ｎｏ」である。【００５２】
ドライブ購買情報登録部４１５は、ドライブ購買情報生成部４１４が生成したドライブ購買情報９５０を記憶部４０４へ登録する。【００５３】
ドライブ購買情報出力部４１６は、ドライブ購買情報９５０に関する出力処理を行う。本実施例では、ドライブ購買情報出力部４１６は、所定の方法で選択されたドライブ購買情報９５０の位置情報に対応する地図情報を表示し、さらに、当該ドライブ購買情報９５０に関する情報（購買情報のリスト等）を表示部４０５へ表示する。【００５４】
本実施例におけるドライブ購買情報出力部４１６は、ドライブ購買地図表示手段として機能する。【００５５】
［ドライブ購買情報生成方法］
ここで、ドライブ購買情報生成方法について記載する。ドライブ購買情報生成方法とは、走行履歴情報８００と、購買履歴情報９００とを関連付けた情報について、ドライブ毎に抽出した情報であるドライブ購買情報９５０を生成する方法をいう。【００５６】
まず、ドライブ起点個所特定部４１１が、保持している情報等に基づいてドライブ起点個所を特定する。【００５７】
そして、ドライブ購買情報生成サーバ４００では、走行履歴情報取得部４１２が、ナビゲーション装置２００から走行履歴情報８００を取得し、購買履歴情報取得部４１３が、ＩＣカードリーダ４０６を介してＩＣカード５００から購買履歴情報９００を取得する。【００５８】
ドライブ購買情報生成部４１４が、購買履歴情報９００を、当該購買履歴情報９００の日時に近似する日時を有する走行履歴情報８００に関連付けた情報を生成する。【００５９】
このように、ドライブ購買情報生成サーバ４００は、実際上、購買履歴情報９００の「日時」と、走行履歴情報８００の「日時」とに基づいて、購買履歴情報９００と走行履歴情報８００との関連付けを行おうとすると時間が合致しないので、走行履歴情報８００の「日時」と、購買履歴情報９００の「日時」とが近似している場合、当該走行履歴情報８００と当該購買履歴情報９００とを関連付ける。これにより、ドライブ購買情報生成サーバ４００は、適切に走行履歴情報８００と、購買履歴情報９００との関連付けを行うことができる。【００６０】
そして、ドライブ購買情報生成部４１４は、取得済みの走行履歴情報８００全体から、ドライブを特定する。具体的に、ドライブ購買情報生成部４１４は、取得済みの走行履歴情報８００の「緯度経度」を参照し、ドライブ起点個所特定部４１１が特定したドライブ起点個所から出発し、ドライブ起点個所に戻ってくる経路を特定し、当該経路の走行履歴情報８００を１つのドライブの走行履歴情報８００とする。【００６１】
図５を用いて、ドライブについて概念的に説明する。ドライブ起点個所特定部４１１がドライブ起点個所を自宅としている例である。「自宅」から、場所Ａ、場所Ｂ、場所Ｃ、「自宅」、場所Ｄ、場所Ｅ、「自宅」という順で車両が走行していたものとする
この場合、ドライブ購買情報生成部４１４は、「自宅」、場所Ａ、場所Ｂ、場所Ｃ、「自宅」の経路を１つのドライブの経路とし、「自宅」、場所Ｄ、場所Ｅ、「自宅」の経路を別のドライブの経路とする。このように、ドライブ購買情報生成サーバ４００は、一般的なドライブと推定される「自宅」から出発して「自宅」に戻ってくるまでの経路をドライブの経路と定めている。【００６２】
そして、ドライブ購買情報生成部４１４は、関連付け情報と、ドライブとの対応付けを行う。具体的に、ドライブ購買情報生成部４１４は、同一ドライブ内の購買に関する関連付け情報に、同一のドライブＩＤを付与する。これにより、ドライブ購買情報生成部４１４は、ドライブ毎に購買に関する情報を管理することを可能とするドライブ購買情報９５０を生成することができる。【００６３】
なお、ドライブ購買情報生成部４１４は、検出したドライブに対応する購買履歴情報９００がない場合でも、当該ドライブに関するドライブ購買情報９５０を生成しておくようにしても良い。例えば、ドライブ購買情報９５０の「日時」に、ドライブ開始日時、ドライブ中に停止していた日時、及びドライブ終了日時を含めておく方法等がある。【００６４】
これにより、ドライブ購買情報生成サーバ４００は、上記ドライブ開始日時、ドライブ中の停止日時等と、ＩＣカード５００から取得する以外の方法で取得した購買履歴情報９００とを対応付けたドライブ購買情報９５０を生成することができる。なお、ＩＣカード５００から取得する以外で購買履歴情報９００を取得する方法として、利用者が入力した情報に基づいて購買履歴情報９００を取得する方法等がある。【００６５】
そして、ドライブ購買情報生成部４１４は、購買履歴情報９００の「日時」に該当する走行履歴情報８００の「位置」が自宅である場合は、当該購買履歴情報９００の購買に関する情報（店名、購買対象等）をドライブ購買情報９５０の生成対象から除外する。【００６６】
これにより、ドライブ購買情報生成サーバ４００は、ドライブ中とは異なる状況の購買情報をドライブ購買情報９５０として生成してしまうことを回避することができる。【００６７】
そして、ドライブ購買情報登録部４１５は、上記ドライブ購買情報９５０を記憶部４０４へ登録する。【００６８】
このように、ドライブ購買情報生成サーバ４００は、走行履歴情報８００と購買履歴情報９００との関連付けを行うとともに、走行履歴情報８００からドライブを検出し、上記関連付け情報をドライブ毎に管理し得るドライブ購買情報９５０を生成し、当該ドライブ購買情報９５０を登録する。【００６９】
これにより、ドライブ購買情報生成サーバ４００は、ドライブ単位で購買情報を管理することができ、利用者に対してドライブ単位の購買情報を提供することができる。この場合、ドライブ購買情報生成サーバ４００は、単に購買情報を提供する場合に比して、利用者にとって利便性を有する情報を提供できる。【００７０】
ここで、図６及び図７を用いて、ドライブと、購買履歴との関連付けの例について説明する。図６は、１日に２度ドライブをした場合の例である。購買イベント１１０Ａの買い物は、ドライブ１２０Ａ及びドライブ１２０Ｂの時間内に該当しないので、ドライブ購買情報生成サーバ４００は、購買イベント１１０Ａに関しては、ドライブとの関連付けの対象外とする。そして、購買イベント１１０Ｂに関しては、ドライブ１２０Ａの時間内に該当するので、ドライブ購買情報生成サーバ４００は、購買イベント１１０Ｂに関する購買履歴情報９００をドライブ１２０Ａに対応付ける。そして、購買イベント１１０Ｃに関しては、車両を自宅に止めている間の購買イベントであるので、ドライブ購買情報生成サーバ４００は、ドライブ１２０Ａにもドライブ１２０Ｂにも対応付けない。そして、購買イベント１１０Ｄに関しては、ドライブ１２０Ｂの時間内に該当するので、ドライブ購買情報生成サーバ４００は、購買イベント１１０Ｄに関する購買履歴情報９００をドライブ１２０Ｂに対応付ける。【００７１】
次に図７の例は、１日に１度ドライブをした場合の例である。購買イベント１１０Ｅの買い物は、ドライブ１２０Ｃの時間内に該当しないので、ドライブ購買情報生成サーバ４００は、購買イベント１１０Ｅに関しては、ドライブとの関連付けの対象外とする。購買イベント１１０Ｆ〜購買イベント１１０Ｈに関しては、ドライブ１２０Ｃの時間内に該当するので、上記購買イベント１１０Ｆ〜購買イベント１１０Ｈをドライブ１２０Ｃに対応付ける。【００７２】
図６及び図７の例のように、ドライブ購買情報生成サーバ４００は、自宅で停車していた期間を境界としてドライブの区切りを判断することができ、車が自宅にある期間での購買履歴はドライブ以外の買い物として区別することができる。また、ドライブ購買情報生成サーバ４００は、自宅以外での停車期間に関連付けられた購買履歴はその地点に立寄って買い物をしたものと判断できる。【００７３】
このように、ドライブ購買情報生成サーバ４００は、走行履歴情報８００と購買履歴情報９００とを関連付けて、当該関連付けた情報をドライブ毎に管理することにより、１回のドライブ（旅行）の消費合計がいくらだったか、立寄り地点毎にどういう買い物をしたか、あるドライブ区間でいくら消費したか等、ドライブ毎の購買状況に関する情報を利用者に提供することができる。【００７４】
次に、ドライブ購買情報９５０を用いて出力する例について図８を用いて説明する。図８は、ドライブ区間全体の地図情報と、ドライブの経路１５０と、ドライブ中の購買履歴を噴出し形状で表示した購買履歴噴出し１６０Ａ及び購買履歴噴出し１６０Ｂとを表示したドライブ購買地図の例である。この場合、ドライブ購買情報出力部４１６は、所定の方法（例えば、利用者による入力操作等）で指定されたドライブに関する位置範囲を走行履歴情報８００で特定した後に、当該ドライブの位置範囲に対応する地図情報を地図情報ＤＢ３５０から検索し、上記走行履歴情報８００を用いて経路１５０を特定し、当該ドライブに対応するドライブ購買情報９５０から購買した内容（店名、購買対象、支払い額等）に基づいて購買履歴噴出し１６０を生成することにより、ドライブ購買地図を生成する。そして、ドライブ購買情報出力部４１６は、当該ドライブ購買地図を表示部４０５へ表示する。【００７５】
このように、ドライブ購買情報生成サーバ４００は、ドライブ中の購買情報と、当該ドライブに関する地図情報とを連動させた情報を提供することにより利用者に対して利便性のある情報を提供することができる。【００７６】
［ドライブ購買情報生成処理］
次に、本実施例におけるドライブ購買情報生成処理について説明する。本実施例でいうドライブ購買情報生成処理とは、走行履歴情報８００と、購買履歴情報９００とを関連付けた情報について、ドライブ毎に抽出した情報であるドライブ購買情報９５０を生成する処理をいう。【００７７】
ドライブ購買情報生成処理の手順について図９に示すフローチャートを用いて説明する。この処理は、ドライブ購買情報生成サーバ４００内の制御部４０１が、予め用意されたプログラムを実行することにより実現される。【００７８】
まず、ドライブ起点個所特定部４１１が、保持している情報等に基づいてドライブ起点個所を特定する（ステップＳ１）。例えば、ドライブ起点個所情報として自宅の位置情報を保持している場合、ドライブ起点個所特定部４１１は、当該自宅の位置をドライブ起点個所とする。【００７９】
そして、走行履歴情報取得部４１２は、送受信部４０２を介してナビゲーション装置２００から走行履歴情報８００を取得する（ステップＳ２）。そして、購買履歴情報取得部４１３は、ＩＣカードリーダ４０６を介してＩＣカード５００から購買履歴情報９００を取得する（ステップＳ３）。【００８０】
そして、ドライブ購買情報生成部４１４は、上記購買履歴情報取得部４１３が取得した購買履歴情報９００と、走行履歴情報取得部４１２が取得した走行履歴情報８００とをそれぞれの時刻情報に基づいて関連付ける（ステップＳ４）。【００８１】
そして、ドライブ購買情報生成部４１４は、取得済みの走行履歴情報８００からドライブを検出し、当該ドライブと関連付けた情報とを対応付けて、ドライブ購買情報９５０を生成する（ステップＳ５）。【００８２】
そして、ドライブ購買情報登録部４１５は、ドライブ購買情報生成部４１４が生成したドライブ購買情報９５０を記憶部４０４へ登録し（ステップＳ６）、ドライブ購買情報生成処理を終了する。【００８３】
以上述べたように、ドライブ購買情報生成サーバ４００は、走行位置情報を含む走行履歴情報を取得する走行履歴情報取得手段と、購買金額情報を含む購買履歴情報を取得する購買履歴情報取得手段と、走行履歴情報と、購買履歴情報とを関連付けた情報をドライブ単位で抽出したドライブ購買情報を生成するドライブ購買情報生成手段と、ドライブ購買情報を登録するドライブ購買情報登録手段と、を備える。【００８４】
これによれば、ドライブ購買情報生成装置は、ドライブ毎に、走行履歴情報と購買履歴情報を関連付けた情報を抽出しているので、ドライブ単位で購買情報を提供することができる。従って、ドライブ購買情報生成装置は、単に購買履歴の情報を提供する場合に比して、利用者にとって利便性のある情報を提供することができる。【００８５】
例えば、２泊３日の旅行で、１日目の夕刻に出発し、３日目の午前中に帰宅したような旅行における消費費用の情報（例えば、合計金額等）を、ドライブ購買情報生成装置４００は、提供することができる。【００８６】
［他の実施例］
上述の実施例では、ドライブ購買情報出力部４１６がドライブ購買情報９５０を用いてドライブ購買地図を表示する場合について述べたが、本発明は、これに限られず、ドライブで通過した道路種別毎や、利用した施設のジャンル毎に会計情報を出力するようにしても良い。【００８７】
具体例について、図１０及び図１１を用いて説明する。図１０に示すように、場所Ａ、場所Ｂ、場所Ｃ、場所Ｄ、場所Ｅ、場所Ｆ、場所Ｇ、場所Ｈ、場所Ｂ、場所Ａという順でドライブしたものとする。そして、太線で示した道路１８０Ａ〜道路１８０Ｃを高速道路とし、他の道路を一般道路とする。そして、噴出し内の番号の順に購買をしたものとする。【００８８】
この場合において、ドライブ購買情報出力部４１６は、図１１（ａ）に示すように、道路種別毎に消費合計を表示したり、図１１（ｂ）に示すように、施設のジャンル毎に消費合計を表示したりする。【００８９】
なお、ドライブ購買情報出力部４１６は、道路種別毎に消費合計を表示する場合は、走行履歴情報８００、及び地図情報ＤＢ１２０内の地図情報を用いてドライブ中に通過した道路の種別を特定し、購買個所（ドライブ購買情報９５０における店名の場所）に対応する道路種別を決定し、道路種別毎の消費合計を算出している。【００９０】
また、ドライブ購買情報出力部４１６は、施設のジャンル毎に消費合計を表示する場合は、地図情報ＤＢ１２０内の地図情報を用いて、ドライブ購買情報の購買個所（ドライブ購買情報９５０における店名）のジャンルを特定し、施設のジャンル毎の消費合計を算出している。【００９１】
このように、ドライブ購買情報生成サーバ４００は、ドライブ時の購買情報を道路種別毎や施設のジャンル毎に提供することにより、利用者に対してドライブ時の購買傾向が掴みやすい情報を提供することができる。【００９２】
上述の実施例では、ドライブ購買情報生成サーバ４００の走行履歴情報取得部４１２は、ナビゲーション装置２００から走行履歴情報８００を取得する場合について述べたが、本発明は、これに限られず、種々の方法で走行履歴情報８００を取得するようにしても良い。例えば、ナビゲーション装置２００でドライブ購買情報生成装置を実現する場合は、ナビゲーション装置２００自体の記憶装置に保存している走行履歴情報８００を取得することになる。【００９３】
上述の実施例では、ドライブ購買情報生成サーバ４００の購買履歴情報取得部４１３は、ＩＣカードリーダ４０６を介して購買履歴情報９００を取得する場合について述べたが、本発明は、これに限られず、送受信部４０２を介して取得する等、種々の方法で購買履歴情報９００を取得するようにしても良い。【００９４】
上述の実施例では、ドライブ購買情報生成サーバ４００の購買履歴情報取得部４１３は、ＩＣカード５００内の購買履歴情報９００を取得する場合について述べたが、本発明は、これに限られず、他の媒体（例えば、クレジットカード等）に記憶されている購買履歴情報９００を取得するようにしても良い。【００９５】
上述の実施例では、自宅のみを除外対象としていたが、本発明は、これに限られず、ＩＣカード５００内の購買履歴情報９００に地点情報を含む場合に、ＩＣカード５００内の購買履歴情報９００の地点と走行履歴の位置が著しく異なる場合に、当該購買履歴情報９００をドライブ購買情報の生成対象から外すようにしても良い。【００９６】
これにより、ドライブ購買情報生成サーバ４００は、運転手以外の人物がＩＣカードを利用して買い物していたにも関わらず、ドライブ中に購買したものと判断してしまうことを回避することができる。【００９７】
上述の実施例では、ドライブ購買情報生成部４１４は、走行履歴情報８００と購買履歴情報９００とを、双方の「日時」情報に基づいて関連付けるようにする場合について述べたが、本発明はこれに限られず、購買履歴情報９００に購買地点情報を含めている場合に、走行履歴情報８００の「緯度経度」と、上記購買履歴情報９００の購買地点情報とに基づいて関連付けを行うようにしても良い。【００９８】
上述の実施例では、サーバ装置であるドライブ購買情報生成サーバ４００が、ドライブ購買情報生成装置として機能したが、本発明は、これに限られず、他の種々の装置（例えば、ＰＤＡ（Ｐｅｒｓｏｎａｌ  Ｄｉｇｉｔａｌ  Ａｓｓｉｓｔａｎｔ））等に適用するようにしても良い。【００９９】
上述の実施例では、ドライブ購買情報生成サーバ４００では、ドライブ起点個所特定部４１１が保持している自宅位置をドライブ起点個所とする場合について述べたが、本発明は、これに限られず、利用者による入力操作によって指定された別の個所をドライブ起点個所としても良く、また、ドライブの開始個所と終了個所を別の位置とするようにしても良い。【０１００】
上述の実施例では、ドライブ購買情報出力部４１６は、ドライブ購買情報９５０等を用いてドライブ購買地図を表示する場合について述べたが、本発明は、これに限られず、ドライブ毎に、ドライブ購買情報９５０の一覧を表示したり、ドライブ購買情報９５０を他の装置へ送受信部４０２を介して送信したりしても良い。【０１０１】
上述の実施例では、ドライブ購買情報９５０に、購買した日時を含める場合について述べたが、本発明は、これに限られず、ドライブ購買情報９５０に、ドライブ開始の日時やドライブ終了の日時等を含めるようにしても良い。【０１０２】
上述の実施例では、ドライブ購買情報生成サーバ４００は、走行履歴情報８００と購買履歴情報９００とを関連付けた情報を用いてドライブ購買情報９５０を生成する場合について述べたが、本発明は、これに限られず、ドライブ購買情報生成装置４００は、利用者の入力操作により指定された購買情報をドライブと対応付けてドライブ購買情報９５０を生成するようにしても良い。これにより、ドライブ購買情報生成装置４００は、ＩＣカード５００を利用していない購買情報をドライブ購買情報９５０に反映することができる。【０１０３】
上述の実施例では、利用者が入力部４０３を介して購買履歴情報９００の入力を行う際の画面表示形式について述べていなかったが、具体例として、図８に示すような地図形式や、旅程表形式等がある。【０１０４】
上述の実施例では、ドライブ購買情報生成部４１４が、購買した施設について、購買履歴情報９００内の店名から特定する場合について述べたが、本発明は、これに限られず、走行履歴情報８００や地図情報を用いて特定するようにしても良い。【０１０５】
具体例について、図１２（ａ）及び図１２（ｂ）を用いて説明する。図１２（ａ）に示すように、購買履歴情報９００に対応する走行履歴情報８００の緯度経度の位置が位置２５６Ａである場合、ドライブ購買情報生成部４１４は、地図情報を参照して、当該位置２５６に最も近い施設である施設２５０Ｃを購買場所とする。なお、施設２５０内の黒丸は、施設２５０の代表点である。また、図１２（ｂ）に示すように、購買履歴情報９００に対応する走行履歴情報８００の緯度経度の位置が位置２５６Ｂであり、当該位置２５６Ｂの周囲円２６０内に複数の施設２５０が含まれる場合、ドライブ購買情報生成部４１４は、上記周囲円２６０内の施設２５０について、画面上に表示し、利用者に選択を促し、利用者が選択した施設２５０を購買場所とする。【０１０６】
このように、ドライブ購買情報生成サーバ４００は、購買履歴情報９００に店名等、購買した施設に関する情報が含まれていない場合でも、購買した施設を特定することができる。
【産業上の利用可能性】
【０１０７】
本発明は、走行履歴と購買履歴との関連付けをドライブ単位で行う装置に利用することができる。
【図１】
2009130749.tif 000003
【図２】
2009130749.tif 000004
【図３】
2009130749.tif 000005
【図４】
2009130749.tif 000006
【図５】
2009130749.tif 000007
【図６】
2009130749.tif 000008
【図７】
2009130749.tif 000009
【図８】
2009130749.tif 000010
【図９】
2009130749.tif 000011
【図１０】
2009130749.tif 000012
【図１１】
2009130749.tif 000013
【図１２】
2009130749.tif 000014
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段と、
前記購買履歴情報から緯度および経度の情報を抽出し、抽出した当該緯度および当該経度が示す位置から所定範囲の周囲円に、複数の施設が含まれているか否かを判定する判定手段と、
前記判定手段により複数の施設が含まれていると判定された場合、当該複数の施設のうちのいずれかを選択させるための選択画面を表示する表示手段と、を備え、
前記ドライブ購買情報生成手段は、前記選択画面により選択された施設を、前記緯度および経度の情報に対応する施設とすることを特徴とするドライブ購買情報生成装置。
【請求項２】
前記ドライブ購買情報生成手段は、ドライブ起点個所に対応する購買履歴情報の購買金額情報をドライブ購買情報の生成対象から除外することを特徴とする請求項１に記載のドライブ購買情報生成装置。
【請求項３】
前記走行履歴情報は、走行位置に対応する走行時間情報を含み、
前記購買履歴情報は、購買時間情報を含み、
前記ドライブ購買情報生成手段は、前記購買時間情報に近似する走行時間情報を有する走行履歴情報と、前記購買時間情報に対応する前記購買履歴情報とを関連付けることを特徴とする請求項１又は２に記載のドライブ購買情報生成装置。
【請求項４】
地図情報を保持する地図情報保持手段と、
前記ドライブ購買情報と、前記地図情報とを対応付けたドライブ購買地図を表示するドライブ購買地図表示手段とをさらに備えることを特徴とする請求項１乃至３のいずれか一項に記載のドライブ購買情報生成装置。
【請求項５】
走行位置情報を含む走行履歴情報を取得する走行履歴情報取得工程と、
購買金額情報を含む購買履歴情報を取得する購買履歴情報取得工程と、
前記走行履歴情報と、前記購買履歴情報とを関連付けた情報をドライブ単位で抽出したドライブ購買情報を生成するドライブ購買情報生成工程と、
前記ドライブ購買情報を登録するドライブ購買情報登録工程と、
前記購買履歴情報から緯度および経度の情報を抽出し、抽出した当該緯度および当該経度が示す位置から所定範囲の周囲円に、複数の施設が含まれているか否かを判定する判定工程と、
前記判定工程により複数の施設が含まれていると判定された場合、当該複数の施設のうちのいずれかを選択させるための選択画面を表示する表示工程と、を備え、
前記ドライブ購買情報生成工程は、前記選択画面により選択された施設を、前記緯度および経度の情報に対応する施設とすることを特徴とするドライブ購買情報生成方法。
【請求項６】
コンピュータを備える装置によって実行されるドライブ購買情報生成プログラムであって、
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段と、
前記購買履歴情報から緯度および経度の情報を抽出し、抽出した当該緯度および当該経度が示す位置から所定範囲の周囲円に、複数の施設が含まれているか否かを判定する判定手段と、
前記判定手段により複数の施設が含まれていると判定された場合、当該複数の施設のうちのいずれかを選択させるための選択画面を表示する表示手段、として前記コンピュータを機能させ、
前記ドライブ購買情報生成手段は、前記選択画面により選択された施設を、前記緯度および経度の情報に対応する施設とすることを特徴とするドライブ購買情報生成プログラム。
【請求項７】
請求項６に記載のドライブ購買情報生成プログラムを記憶したことを特徴とする記憶媒体。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段と、
前記走行履歴情報から緯度および経度の情報を抽出し、抽出した当該緯度および当該経度が示す位置から所定範囲の周囲円に、複数の施設が含まれているか否かを判定する判定手段と、
前記判定手段により複数の施設が含まれていると判定された場合、当該複数の施設のうちのいずれかを選択させるための選択画面を表示する表示手段と、を備え、
前記ドライブ購買情報生成手段は、前記選択画面により選択された施設を、前記緯度および経度の情報に対応する施設とすることを特徴とするドライブ購買情報生成装置。
【請求項２】
前記ドライブ購買情報生成手段は、ドライブ起点個所に対応する購買履歴情報の購買金額情報をドライブ購買情報の生成対象から除外することを特徴とする請求項１に記載のドライブ購買情報生成装置。
【請求項３】
前記走行履歴情報は、走行位置に対応する走行時間情報を含み、
前記購買履歴情報は、購買時間情報を含み、
前記ドライブ購買情報生成手段は、前記購買時間情報に近似する走行時間情報を有する走行履歴情報と、前記購買時間情報に対応する前記購買履歴情報とを関連付けることを特徴とする請求項１又は２に記載のドライブ購買情報生成装置。
【請求項４】
地図情報を保持する地図情報保持手段と、
前記ドライブ購買情報と、前記地図情報とを対応付けたドライブ購買地図を表示するドライブ購買地図表示手段とをさらに備えることを特徴とする請求項１乃至３のいずれか一項に記載のドライブ購買情報生成装置。
【請求項５】
ドライブ購買情報生成装置において実行されるドライブ購買情報生成方法であって、
走行位置情報を含む走行履歴情報を取得する走行履歴情報取得工程と、
購買金額情報を含む購買履歴情報を取得する購買履歴情報取得工程と、
前記走行履歴情報と、前記購買履歴情報とを関連付けた情報をドライブ単位で抽出したドライブ購買情報を生成するドライブ購買情報生成工程と、
前記ドライブ購買情報を登録するドライブ購買情報登録工程と、
前記走行履歴情報から緯度および経度の情報を抽出し、抽出した当該緯度および当該経度が示す位置から所定範囲の周囲円に、複数の施設が含まれているか否かを判定する判定工程と、
前記判定工程により複数の施設が含まれていると判定された場合、当該複数の施設のうちのいずれかを選択させるための選択画面を表示する表示工程と、を備え、
前記ドライブ購買情報生成工程は、前記選択画面により選択された施設を、前記緯度および経度の情報に対応する施設とすることを特徴とするドライブ購買情報生成方法。
【請求項６】
コンピュータを備える装置によって実行されるドライブ購買情報生成プログラムであって、
走行位置情報を含む走行履歴情報を取得する走行履歴情報取得手段と、
購買金額情報を含む購買履歴情報を取得する購買履歴情報取得手段と、
前記走行履歴情報と、前記購買履歴情報とを関連付けた情報をドライブ単位で抽出したドライブ購買情報を生成するドライブ購買情報生成手段と、
前記ドライブ購買情報を登録するドライブ購買情報登録手段と、
前記走行履歴情報から緯度および経度の情報を抽出し、抽出した当該緯度および当該経度が示す位置から所定範囲の周囲円に、複数の施設が含まれているか否かを判定する判定手段と、
前記判定手段により複数の施設が含まれていると判定された場合、当該複数の施設のうちのいずれかを選択させるための選択画面を表示する表示手段、として前記コンピュータを機能させ、
前記ドライブ購買情報生成手段は、前記選択画面により選択された施設を、前記緯度および経度の情報に対応する施設とすることを特徴とするドライブ購買情報生成プログラム。
【請求項７】
請求項６に記載のドライブ購買情報生成プログラムを記憶したことを特徴とする記憶媒体。
【手続補正２】
【補正対象書類名】明細書
【補正対象項目名】０００７
【補正方法】変更
【補正の内容】
【０００７】
請求項１に記載の発明では、ドライブ購買情報生成装置であって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段と、前記走行履歴情報から緯度および経度の情報を抽出し、抽出した当該緯度および当該経度が示す位置から所定範囲の周囲円に、複数の施設が含まれているか否かを判定する判定手段と、前記判定手段により複数の施設が含まれていると判定された場合、当該複数の施設のうちのいずれかを選択させるための選択画面を表示する表示手段と、を備え、前記ドライブ購買情報生成手段は、前記選択画面により選択された施設を、前記緯度および経度の情報に対応する施設とすることを特徴とする。
【手続補正３】
【補正対象書類名】明細書
【補正対象項目名】０００８
【補正方法】変更
【補正の内容】
【０００８】
請求項５に記載の発明では、ドライブ購買情報生成装置において実行されるドライブ購買情報生成方法であって、走行位置情報を含む走行履歴情報を取得する走行履歴情報取得工程と、購買金額情報を含む購買履歴情報を取得する購買履歴情報取得工程と、前記走行履歴情報と、前記購買履歴情報とを関連付けた情報をドライブ単位で抽出したドライブ購買情報を生成するドライブ購買情報生成工程と、前記ドライブ購買情報を登録するドライブ購買情報登録工程と、前記走行履歴情報から緯度および経度の情報を抽出し、抽出した当該緯度および当該経度が示す位置から所定範囲の周囲円に、複数の施設が含まれているか否かを判定する判定工程と、前記判定工程により複数の施設が含まれていると判定された場合、当該複数の施設のうちのいずれかを選択させるための選択画面を表示する表示工程と、を備え、前記ドライブ購買情報生成工程は、前記選択画面により選択された施設を、前記緯度および経度の情報に対応する施設とすることを特徴とする。
【手続補正４】
【補正対象書類名】明細書
【補正対象項目名】０００９
【補正方法】変更
【補正の内容】
【０００９】
請求項６に記載の発明では、コンピュータを備える装置によって実行されるドライブ購買情報生成プログラムであって、走行位置情報を含む走行履歴情報を取得する走行履歴情報取得手段と、購買金額情報を含む購買履歴情報を取得する購買履歴情報取得手段と、前記走行履歴情報と、前記購買履歴情報とを関連付けた情報をドライブ単位で抽出したドライブ購買情報を生成するドライブ購買情報生成手段と、前記ドライブ購買情報を登録するドライブ購買情報登録手段と、前記走行履歴情報から緯度および経度の情報を抽出し、抽出した当該緯度および当該経度が示す位置から所定範囲の周囲円に、複数の施設が含まれているか否かを判定する判定手段と、前記判定手段により複数の施設が含まれていると判定された場合、当該複数の施設のうちのいずれかを選択させるための選択画面を表示する表示手段、として前記コンピュータを機能させ、前記ドライブ購買情報生成手段は、前記選択画面により選択された施設を、前記緯度および経度の情報に対応する施設とすることを特徴とする。
【国際調査報告】
2009130749.tif 000015
2009130749.tif 000016